(57)【特許請求の範囲】
【請求項１】
ハウジングと、該ハウジングに対して往復動可能に取着された駆動軸と、該駆動軸に着脱自在に結合されて該駆動軸と共に往復動する鋸刃とを備えた動力工具の鋸刃固定装置において、
前記駆動軸と結合された固定支持体と、
前記鋸刃と前記駆動軸の間の機能的な接続を形成するように押圧力を付与しかつ、前記固定支持体に対して拘束された一端部を有するバネ固定部材である、押圧部材と、
前記動力工具に止着されて動作し、かつ前記鋸刃が前記駆動軸に対して保持されている第１の位置と前記鋸刃が前記駆動軸から離れた第２の位置との間で移動可能な作動部材とを具備して構成されたことを特徴とする動力工具の鋸刃固定装置。
【請求項２】
前記作動部材は、前記ハウジングに対して長手軸線方向には不動に保持されている解除レバーから成り、該解除レバーは、前記第１の位置にあるとき、前記押圧部材から分離している請求項１に記載の動力工具の鋸刃固定装置。
【請求項３】
前記解除レバーは、前記長手軸線と平行に設けられ、かつ該長手軸線から離れた枢動軸の回りに枢動可能に取着された請求項２に記載の動力工具の鋸刃固定装置。
【請求項４】
前記解除レバーは前記第１の位置から前記第２の位置へ第１の方向に回動されるように設けられ、該解除レバーは前記押圧部材と係合する係合面を備え、前記枢動軸は、前記係合面が前記枢動軸に対して偏倚した関係となるように該係合面に対して配設されることにより、前記解除レバーが前記第２の位置に達すると、前記押圧部材が該解除レバーを前記第１の方向に押圧、付勢するように設けられていることを特徴とする請求項３に記載の動力工具の鋸刃固定装置。
【請求項５】
前記ハウジングは、前記解除レバーの前記第２の位置において、前記第１の方向への前記解除レバーの動作を阻止するように前記解除レバーに係合する停止面を備えている請求項４に記載の動力工具の鋸刃固定装置。
【請求項６】
往復動型動力鋸刃装置において、
ハウジングと、
前記鋸刃装置に取着され、前記ハウジングに対して往復動作をする駆動軸と、
鋸刃を前記駆動軸に着脱自在に取着して往復切断動作をさせる固定装置とを具備し、
前記固定装置は、
（イ）前記駆動軸に結合されて該駆動軸と共に動作する押圧部材であり、前記鋸刃を前記駆動軸に対して保持して該鋸刃と該駆動軸との間で作動結合関係を形成する押圧部材と、
（ロ）前記往復鋸刃装置に止着されると共に前記ハウジングに対して１つの軸線方向沿いに固定され、前記押圧部材から離れた第１の位置と該押圧部材に係合した第２の位置との間で可動に設けられた作動部材と、を備えて構成されていることを特徴とする往復動型動力鋸刃装置。
【請求項７】
前記往復動型動力鋸刃装置は更に固定支持部材を具備し、該固定支持部材は前記駆動軸に結合され、かつ、前記押圧部材が該固定支持部材に取付けられている請求項６に記載の往復動型動力鋸刃装置。
【請求項８】
前記押圧部材は、前記固定支持部材に対して拘束された第１の端部を有するバネ固定部材から成ることを特徴とする請求項７に記載の往復動型動力鋸刃装置。
【請求項９】
前記作動部材は、前記第１、第２の位置の間で枢動するように取着された解除レバーである請求項８に記載の往復動型動力鋸刃装置。
【請求項１０】
前記解除レバーは、前記鋸刃に平行に設けられ、かつ該鋸刃から離れている枢動軸の回りに回動するように取着された請求項９に記載の往復動型動力鋸刃装置。
【請求項１１】
前記ハウジングは、前記鋸刃に対してほぼ垂直に設けられた前面を有し、前記枢動軸は、該前面に配設された孔に係合した第１の端部を有する枢動ピンにより形成されている請求項１０に記載の往復動型動力鋸刃装置。
【請求項１２】
前記ハウジングは更に、前記前面から前方に延設され、かつ離隔した第１、第２の壁部分と、該離反した第１、第２の壁部分に取着された端板とを有して構成された請求項１１に記載の往復動型動力鋸刃装置。
【請求項１３】
前記バネ固定部材は、前記解除レバーによって変位される第２の端部を有している請求項１２に記載の往復動型動力鋸刃装置。
【請求項１４】
前記バネ固定部材は、前記鋸刃を直接押圧する中央領域部を有している請求項１３に記載の往復動型動力鋸刃装置。
【請求項１５】
動力駆動の往復動型鋸刃装置において、
ギアケース用ハウジングと前記往復動型鋸刃装置に取付けられて前記ギアケース用ハウジングに対して往復動作する駆動軸と、
鋸刃を前記駆動軸に着脱自在に結合して該駆動軸と共に動作させる固定装置とを具備し、前記固定装置は、
（イ）前記駆動軸に結合されて該駆動軸と一緒に動作する固定支持部材と、
（ロ）該固定支持部材により支持されて前記鋸刃を前記駆動軸に対して保持するように作動し、かつ前記固定支持部材に関して拘束、保持された第１の端部を備えたバネ固定部材と、
（ハ）前記ハウジングに枢着され、前記バネ固定部材が前記鋸刃に押圧力を付与して該鋸刃を前記駆動軸に対し作動結合状態に維持する第１の安定位置から前記押圧力が前記鋸刃から除去されて該鋸刃を前記駆動軸との作動結合状態から外し得る第２の安定位置に向けて第１の方向に枢軸回りに枢動する解除レバーと、を具備して成ることを特徴とする動力駆動の往復動型鋸刃装置。
【請求項１６】
前記解除レバーは前記バネ固定部材と係合する係合面を具備し、かつ前記係合面が前記枢軸から偏倚した関係を形成するように前記枢軸は前記係合面に対して配設されて前記解除レバーが前記第２の安定位置に在るとき、前記バネ固定部材により前記解除レバーは第１の方向に押動されるように配設されている請求項１５に記載の動力駆動の往復動型鋸刃装置。
【請求項１７】
前記ハウジングは停止面を備えて前記解除レバーが前記第２の安定位置に在るとき、該解除レバーに係合し、該解除レバーが前記第１の方向に更に移動するのを阻止するように構成されている請求項１６に記載の動力駆動の往復動型鋸刃装置。
【請求項１８】
前記バネ固定部材は前記固定支持部材により拘束、保持される固定端と、前記解除レバーの前記係合面に接触するように形成された自由端とを具備している請求項１７に記載の動力駆動の往復動型鋸刃装置。
【発明の詳細な説明】
【０００１】
【発明の属する技術分野】
本発明は、一般的に動力工具に関し、特に、往復切断動作をするように取着された鋸刃を有する動力工具に適用する鋸刃固定装置に関する。
【０００２】
【従来の技術】
動力駆動の往復動形式の鋸刃装置は治具鋸刃、その他の往復動型鋸刃（商取引では通常、レシプ鋸刃と呼称される）を有している。これらの鋸刃は往復動軸を組み込みで一般的には直線鋸刃を公転路又は直線路に沿って駆動し、切断作用を付与する。
【０００３】
通常の場合、動力工具と使用する鋸刃は同鋸刃を受承する溝を有した刃ホルダを介して往復軸に取着され、刃の孔に入る止めネジで固定している。刃は往復軸に対して上記止めネジを締めつけると所定の位置に固定されるが、このような鋸刃の取付け方法は、一般的には満足ゆくものとして受容され、商業的にも成功しているが本質的に欠点が無いわけではない。
【０００４】
【発明が解決しようとする課題】
例えば、動力往復鋸刃装置は作動時に高振動を受けるので、その結果、しばしば止めネジが緩むことになる。もし、止めネジが十分に締め付け状態を維持できないと鋸刃が駆動軸から離脱することになりかねない。通常の鋸刃の駆動軸に対する取付け手段の他の欠点としては、磨耗や欠けた場合に鋸刃の交換が迅速、簡単に行い得ない点である。ワークを最小材料ロスで切断することが望ましいことから、鋸刃の刃厚はできるだけ少ないことが望ましい。その結果、普通の使用時に受ける力で破損することがしばしば有る。このような刃の交換頻度に鑑みて、刃の交換は簡単で迅速たり得ることが望ましい。従来の鋸刃取付け装置の欠点は鋸刃の固定や取り外しにレンチ等の他の工具を要すると言う点である。
【０００５】
上述した従来の鋸刃の取着に絡む諸欠点を克服するべく、止めネジの使用を排する多数の企てが成されてきた。このような鋸刃取付け装置の一例は、米国特許第 5,322,302号に開示されている。この米国特許に開示されている鋸刃取付け装置は、取付け本体部を具備し、この本体部が固定球をバネの押圧力を介して鋸刃に固定係合させるように成っている。鋸刃の取り外しはレバーを作動して遂行され、同レバーはバネの呈する押圧力を克服するようになっいる。この装置の作動には作業者の手で先ず、レバーを作動させ、次いで同じく作業者の他の手で鋸刃を取り除去したり装着したりすることができるものである。換言すれば、この装置の作動レバーは、安定した非固定位置へ移動することはできず、また、作業者の二つの手を必然的に要し、この点は必ずしも便宜ではない。
【０００６】
通常の止めネジを使用しないで動力工具の往復駆動軸に鋸刃を固定する従来の手段としては、米国特許第3,542,097 号、第 3,823,473号、第 4,020,555号、第4,106,181 号、第 4,441,255号、第 4,594,781号、第 4,470,196号、第 4,528,753号、第 4,601,477号、第4,648,182 号、第5,113,565 号、第 5,263,972号、第5,324,052 号等の公報に開示されている。
【０００７】
これらの米国特許公報に開示された装置の各々は、往復駆動軸に鋸刃を通常の止めネジで取着することに関連した１ないし複数の問題点、つまり上述した欠点を含み、それ以外の欠点を含めたを問題点を克服する手段を開示している。
然しながら、これらの全ての装置は、更に改善し、改良しなければならない。例えば、米国特許第5,322,302 号公報を含め、これらの多くの装置は、２つの手の操作を必要としている。加えて上述した諸米国特許に開示の装置の多くは、複雑な構造を有して多数の個別部品を含む構造であることから製造、組立にコストを要する。
【０００８】
また、これらの従来の装置の多くのものは作動に力を要し、鋸刃を所定の位置に固定し、また、刃を駆動軸から取り外すべく緩めるために多大の力を必要とする。このような力を十分に得るには多く、レンチその他の工具を要する。これらの従来技術の装置に絡むその他の不利は、通常形状の鋸刃と共働不可であることにある。
【０００９】
依って、本発明の目的は、上述した米国特許公報に開示されているものを含めた動力工具用の従来公知の鋸刃取付け装置を改善することにより、上述した諸欠点、問題点を克服、解消することにある。
本発明の他の目的は、動力作動の往復動型鋸刃装置用の新規かつ改善された鋸刃取付け装置で、鋸刃の迅速かつ簡単な取着と除去とを可能とするように作動する解除レバーを備えた装置を提供することにある。
【００１０】
【課題を解決するための手段】
好ましい実施形態では解除レバーは、２つの安定した位置の間を枢動するように取着されている。また、好ましい実施形態では解除レバーは駆動軸と一緒に往復動作をするようには結合されていない。本発明は、好ましくは動力往復型の鋸刃装置を供し、同装置においては、鋸刃は所定の位置に取付けられ、かつ片手を使用するだけで取り外しができるのである。
【００１１】
加えて、本発明は構造が簡単な動力往復型鋸刃装置用の鋸刃取付け装置であると共に製造、組立が比較的低価格である鋸刃取付け装置を提供せんとするものである。
また、本発明の鋸刃取付け装置は、従来周知の種々の鋸刃を組み込み可能であり、また、その鋸刃を所定位置に止めネジ無しで保持でき、しかもその他の工具類を用いる必要の無い装置を提供するものである。
【００１２】
また、本発明は、鋸刃取付け装置としてその構造要素を異常磨耗、早期の破損から保護する設計を有した装置を提供せんとするものである。
一形態として、本発明は、ハウジングと、同ハウジングに対して往復運動するように取着された駆動軸と、同駆動軸に着脱自在に結合される鋸刃とを具備した形式の動力工具用の鋸刃固定装置が提供される。この鋸刃固定装置は、押圧部材と、作動部材とを備えている。この押圧部材は、駆動軸に結合されて押圧力を呈することにより、鋸刃と駆動軸との間の作動結合状態を維持する。上記作動部材は、第１の安定位置と第２の安定位置との間で選択的に移動可能に構成されている。上記の第１の安定位置は押圧部材の押圧力によって鋸刃と駆動軸との間の作動結合状態を維持せしめる位置であり、第２の安定位置は作動部材により押圧力を克服し、以て鋸刃を駆動軸から取り外すことを可能にする位置である。
【００１３】
第２の形態では、本発明は、動力往復動型の鋸刃装置を提供し、該装置はハウジングと、そのハウジングに対して往復動作するように往復動型鋸刃装置に取付けられる駆動軸とを備えている。同鋸刃装置は、更に駆動軸に着脱自在に結合されて切断動作をする鋸刃を使用し、その鋸刃を駆動軸に取付ける固定装置を使用する。同固定装置は、押圧部材と作動部材とを具備し、押圧部材は駆動軸と結合され、該駆動軸と共に動作するように設けられ、鋸刃を駆動軸に対して押し付けるように機能して鋸刃と駆動軸との間の作動結合状態を確立する。また、作動部材は、往復動型鋸刃装置に付設されてハウジングに対して所定の直線方向には固定されているる。そして、同作動部材は、上記の押圧部材から離隔した第１の位置と同押圧部材に係合した第２位置との間で移動可能に構成されている。
【００１４】
好ましい形態では、本発明は、歯車箱ハウジングを有する動力往復動型鋸刃装置を供し、同装置は同往復動型鋸刃装置に取付けられて上記の歯車箱ハウジングに対して往復動するように取着された駆動軸を有している。鋸刃は駆動軸に着脱自在に結合されて同駆動軸と一緒にに動作する。この動力往復動型鋸刃装置は更に、鋸刃を駆動軸に取付けるための固定装置を備えており、該固定装置は固定支持部材と、バネ固定部材と、解除レバーとを具備している。固定支持部材は駆動軸に止着されて該駆動軸と一緒に動作する。バネ部材は固定支持部材に支承されており、鋸刃を駆動軸に押圧するように作用する。他方、解除レバーはハウジングに枢着されて枢軸回りに第１の方向に、しかも第１の安定位置から第２の安定位置に向けて枢動するように構成されている。上記第１の安定位置では鋸刃を駆動軸と作動結合状態に維持するための押圧力が上記バネ固定部材によって付与される。また、第２の安定位置では、解除レバーがバネ固定部材の押圧力を克服して鋸刃を駆動軸から取り外しできるように作用する。
【００１５】
【発明の実施の形態】
以下、本発明を添付図面に示す実施形態に基づいて更に詳細に説明する。
本発明は、動力工具の改良された鋸刃固定装置を提供するものである。図示例では往復動型の鋸刃装置に適用する鋸刃固定装置に就いて記載するが、当業者であれば、そのような適用範囲にのみ限定するものではないことは自明であろう。これに関し、本発明が教示する技術は往復動作型の切断部材（例えば、往復動作型の鋸刃、治具ソー、種々の外科鋸刃、台所用ナイフ等）を組み込む形式の動力工具ならどのようなものにも適用可能であることを理解すべきである。
【００１６】
他方、図示例において、同一または等価的な要素は同じような参照番号を付して図示してあり、本発明の技術思想を実施する例としての動力工具が図１では動力往復動型鋸刃装置として図示され、一般的に参照番号１０で示してある。
通常、動力往復動型鋸刃装置１０は、図示にないモータにより駆動され、同モータはトリガースイッチ１２により作動される。一部参照番号１４で図示してある動力線を介してモータに供給される電力は該トリガースイッチ１２でオンオフを制御する。
【００１７】
図示例の動力工具１０はハンドル部１６を備えるものとして図示されており、このハンドル部１６が上記のトリガースイッチ１２を担持している。動力工具１０は又ハウジング１８を備えるものとして図示されており、同ハウジングは中央のモータハウジング部２０と前方のギアケース用ハウジング２２とを具有している。図２に明示のように、ギアケース用ハウジング２２は前面２４を備えるように形成され、この前面２４は全体的に角形々状の開口２６を有し、この開口は直線方向に延設される駆動軸溝２８の開口を形成している。
【００１８】
動力工具１０は更に駆動軸３０を具備し、この駆動軸は一部が駆動軸溝２８の内部に延在し、図示にないが上記のギアケース用ハウジング部２２に格納された駆動機構と作動上で結合している。この駆動機構と駆動軸３０との間の結合は従来周知の結合方法でよい。駆動軸３０は、一般的に動力工具１０により形成される所定の軸線方向に往復動を行うように取付けられている。
【００１９】
図１、２に示すように、ハウジング１８は前方に延設される第１、第２の側壁部材３２、３４を備え、これらの側壁部材はギアケース用ハウジング２２に結合されている。好ましい実施形態では、これらの第１、第２の前方に向けて延設された側壁部材３２、３４はギアケース用のハウジング２２と一体形成され、アルミニウム、マグネシウネ、その他の軽量金属で形成されている。これらの第１、第２の前方に向けて延設された側壁部材３２、３４の特殊な形状や機能に就いては以下に詳述する。
【００２０】
駆動軸３０は、鋸刃３８等の切断部材と協動するのに適し、鋸刃３８を公転路又は直線路に沿って切断動作のために前後動作するように駆動する。これに関し、往復動する駆動軸３０は軸横断方向に延設された孔４０を包含形成され、この孔４０に駆動ピン４２（図７参照）を受承する。駆動ピン４２は孔４０内に止まり嵌めされて固定されている。図１、図７に図示の鋸刃の構造は、前方部に切断部４４を有して後方部に配設された取付け部４６と一体に形成されている。鋸刃３８の取付け部４６には周知の構造と同様に孔４８が形成され、鋸刃３８を往復動する駆動軸３０に取着するとき、該孔４８に上記駆動ピン４２を受承するようになっている。駆動ピン４２の先端は、往復動駆動軸３８の第１の側壁５２（図８参照）から鋸刃３８の厚さ分に略等しい寸法だけ突出している。
【００２１】
本発明の動力工具１０は更に、固定装置５６を備えて鋸刃３８を往復動する駆動軸３０に対して着脱自在に作動結合状態に維持している。全図を通して図示するごとく、固定装置５６は固定支持部材５８、押圧部材６０、作動部材６２を備えている。以下の記載は、本発明の焦点をなす固定装置５６の構成と作用とに関するものである。
【００２２】
まず、図３、図４を参照してと、固定支持部材５８の構造と作用に就いて説明する。図示の実施形態においては、固定支持部材５８は往復動型の駆動軸３０に結合されて同駆動軸と一緒に動作する別部品として形成されている。しかしながら、固定支持部材５８と駆動軸３０とは単一の構造要素として一体形成されていても良いことは容易に理解できよう。固定支持部材５８は、硬化鋼材または適宜の材料製の単体構造体として形成されている。固定支持部材５８と駆動軸３０との間の結合は同固定支持部材５８を貫通して軸横断方向に延設された孔７０と往復動型駆動軸３０に設けられた対応の孔７２とに止まり嵌めされたピン６８によって達成される。
【００２３】
固定支持部材５８は、主部７３を有し、この主部は駆動軸３０を受承する寸法で所定の直線方向に延設された長溝７４（図４）を部分的に形成している。すなわち、長溝７４は、内壁７５と、相互に対向配置に設けられた第１、第２の側壁７６、７８とに依って形成され、同側壁７６、７８は各々、端壁８０、８２に終端している。内壁７５は凹形の曲線形状を成して往復動駆動軸３０の第２の側壁７９を受承するように形成されている。好ましい実施形態においては、往復動駆動軸３０の第１の側壁５２は図１１、図１２に図示のように、長溝７４に着座したとき、上記の端壁８０、８２と丁度、平坦になるように形成されている。端壁８０、８２は該側壁５２と協動して動力工具１０に鋸刃３８が装着されたときに同刃３８が装填される表面を形成している。
【００２４】
固定支持部材５８上面８６に接してＬ字形のフランジ８８が一体形成されており、このＬ字形フランジ８８は鋸刃３８の上面９４を受承するための溝９０を部分的に形成している。また、固定支持部材５８の下面９６に近接して外方に突出した突出部９８が形成され、この突出部９８は鋸刃３８の下面１００が当接する面を形成している。固定支持部材５８の上面８６は１対の相互に分離し、かつ上向きに突出したフランジ部１０２、１０４（図３）を備えている。下記から自明のごとく、これらのフランジ部１０２、１０４は押圧部材６０が駆動軸３０の長手方向に対応した軸線方向に動くのを制限するように協動する部分として形成されている。また、固定支持部材５８の主部７３と背壁１１２の下方に下垂した突出部１１０との間には第２の横溝１０８が部分的に形成されており、同溝１０８は底側が開口している。
【００２５】
ここで、特に図６を参照すると、本発明に係る押圧部材がバネ固定部材６０として図示されている。このバネ固定部材６０は、上記の固定支持部材５８により直接、担持されるように形成されて往復動型駆動軸３０と共に動作する。バネ固定部材６０は、全体的にＣ形々状を有し、弾性金属材料又はその他の適宜の材料から一体部材として形成され、曲線形状をした中央部１２０と第１、第２の端部１２２、１２４とを有している。一つの用途例の場合、バネ固定部材６０は、約１．３ｍｍの鋼鉄材料で形成されている。図６にはバネ固定部材６０が略非負荷状態にある場合が図示さている。孔１２５が中央部１２０を貫通して形成されており、この中央部１２０は、固定装置５６に鋸刃が非装填時に前述の駆動ピン４２（図５参照）を受け入れるように形成されている。バネ固定支持部材６０は更に全体的に直線形状の上部１２６、下部１２８を備え、これらは曲線状の中央部１２０の対向端部に一体に連続している。上記の上部１２６、下部１２８は全体的に曲線状中央部１２０に対して横長に形成、配設されており、同中央部１２０と協動して駆動軸３０の長手軸線方向に対応した直線方向に延長した開口１３０を形成し、同開口１３０に固定支持部材５８の一部分を受入れ、かつ往復動型駆動軸３０の一部分を受け入れるようになっている。ハネ固定部材６０は更に保持部１３２を第２端部１２４の近くに具備し、固定支持部材５８の長溝１０８の内部に拘束的に保持されるようになっている。バネ固定部材６０はまた、バネ耳部１３６を第１端部１２２の近くに形成、具備し、この耳部１３６は上部１２６に対して上向きに突出し、かつ僅かに後方の曲線状中央部１２０に向けて傾いている。このバネ耳部１３６は固定支持部材５８に対して直接拘束状態に無い状態に形成されている。
【００２６】
バネ固定部材６０の下部１２８は、組立てられて、駆動軸３０、鋸刃３８と固定係合状態にあるとき、固定支持部材５８の底面９６（図４）に配設される。又、非負荷状態では、該バネ固定部材６０の上部１２６は、固定支持部材５８の上面８６の略近傍に位置決めされている。上述の如く、バネ固定部材６０の直線軸方向の動きは固定支持部材５８のフランジ部１０２、１０４によって制限されている。
【００２７】
バネ固定部材６０の曲線状の中央部１２０は、下方に外向きに曲がった部分１３９を備え、該部分１３９は、鋸刃３８を収納し、また、上方にも外向きに曲がった部分１４０を備えている。曲線状の中央部１２０は更に内側に湾曲した中央部１４２を備え、この中央部１４２が鋸刃３８に直接、接触するように配設されている。なお、当業者ならバネ固定部材６０の図示の特定形状は、本発明の範囲を逸脱することなく種々改変が可能であることは自明であろう。固定支持部材５０に止着される部分、鋸刃３８を直接押圧する部分、変位自在な自由端などを有していれば、バネ固定部材６０は、どのような構造でも適当である。
【００２８】
図１１に図示するような固定状態において、バネ固定部材６０は鋸刃３８に中央部１４２が接触することで同鋸刃に押圧力を付与している。この押圧力は鋸刃３８を往復動する駆動軸３０に対して作動結合状態に維持するように作用し、駆動軸３０に対して鋸刃３８が横にずれ動きするのを阻止する。
本発明の固定装置５６は何ら変形を加えることなく、種々の形態の鋸刃を組み込むことが可能であることは当業者なら自明であろう。なお、例として、これに限定するわけではないが、図９、図１０には固定装置５６に使用するのに適した２つの鋸刃の構造が図示してある。図９に図示した第１の変形例の鋸刃３８’は全体的に直線形状の取付け部４６’を備え、その取付け部４６’に開口４８’が駆動ピン４２を受承する寸法に形成、具備されている。図１０には第２の変形例の鋸刃３８”が図示されており、この鋸刃３８”も開口４８”を有し、また、長さ方向に延設、刻設された溝１４４を有している。その他の多数の周知構造をした鋸刃構造が着脱自在に駆動軸３０に取着、結合可能であり、この場合にも本発明の固定装置５６を介して固定される。
【００２９】
図示のように、本発明の作動部材は好ましくは解除レバーの構造を備え、バネ固定部材６０のバネ押圧力を克服するように作動可能であり、以て鋸刃３８の取り外しと装着を可能にしている。図示の実施形態では、解除レバー６２は第１の安定位置ないし固定位置（図１１参照）と第２の安定位置ないし非固定位置（図１２参照）との間で枢動するように取着されている。特に、解除レバー６２がその第１安定位置に在るときは、バネ固定部材６０から離隔した位置に在り、解除レバー６２をハウジング１８に対して軸線方向に固定維持されている。故に、解除レバー６２は往復動駆動軸３０の作用時に比較的静止状態に維持されている。従って駆動軸３０により前後動される重量分を軽減し、かつ振動力の発生を低減させる。
【００３０】
解除レバー６２の枢動取付けを可能にすべく、動力工具１０は端板１５０を有し、これは前方に向けて延設された側壁３２、３４に止着されている。
図２に図示のように、端板１５０は全体的に平坦に形成され、ギアケース用ハウジング２２の前面２４に相似した形態に形成されている。端板１５０は開口１５２を有し、この開口１５２を通って鋸刃３８が延設、取着される。図示例では端板１５０は、前方に向けて延長した第１、第２の側壁部材３２、３４に複数のねじ止め具１５４で止着され、該ねじ止め具１５４は同端板に設けられた４つの開口１５６を介して挿着されるようになっている。これらの止め具１５４は上記の第１、第２の側壁部材３２、３４の各々のボス部１６０に配置したねじ孔１５８にネジ係合するように形成されている。図示例では、上記ボス部１６０は第１、第２の側壁部材３２、３４の自由端に沿って配設されている。当業者なら端板１５０は、前方に向けて延設された側壁部材３２、３４に他の適宜の周知方法で止着してもよいことは自明であろう。この点に関しては、端板１５０を側壁部材３２、３４に溶着するようにしても良い。
【００３１】
解除レバー６２は全体的にＬ字形々状の断面を有し、第１の脚１７０と第２の脚１７２を有している。解除レバー６２の駆動軸の軸線方向に見た長手方向の長さは駆動軸３０が往復動する際のバネ固定部材６０の全移動路に渡って延びる長さを十分に有するように形成されている。長さ方向に延設された開口１７４は、同解除レバー６２の長さを貫通し、第１、第２の脚１７０、１７２の結合部に配設され、かつ、枢動ピン１７６を受承している。枢動ピン１７６は第１端１７８を有し、この端部は前面２４に形成された開口１８０に係合するように設けられている。また、第２端１８２は端板１５０に設けられた開口１８４に係合する設けられている。この第２端１８２が先端径が縮小されて同ピン１７６の前方への動きを阻止されている。
【００３２】
図１１、図１２に図示のように、解除レバー６２は、凹所またはポケット部１８８を備えるように形成され、そこに捩じりバネ１９０を受容している。捩じりバネ１９０は解除レバー６２を第１の安定位置（図１１）に向けて付勢するように機能し、また枢動ピン１７６の周縁部を囲繞した中央部を有している。捩じりバネ１９０はまた、固定端１９４を備え、この固定端１９４は凹所１８８のボス部１９６に係止している。また同バネ１９０は、更に自由端１９８を有し、ギアケース用のハウジング２２の前面２４から延長している停止ピン２００に係合している。停止ピン２００は凹所１８０（図２）内に延在し、解除レバー６２との干渉を回避している。
【００３３】
図１１、図１２に明示のように、第２の壁部材３４は、全体的に断面がＳ字形状に形成され、停止面２１０を形成する上部２０８を有し、同停止面２１０は、解除レバー６２を支持するように配設されている。上部２０８は解除レバー６２が図１１、図１２における反時計回り方向に回動するのを阻止するように作用する。解除レバー６２の第１脚１７０は第２側壁３４の上方に直立している部分２１２より僅かに前方に突出し、従って作業者は同脚１７０の自由端２１４を把持することができる。
【００３４】
前方に延設した第１側壁３２は全体的にＬ字形の断面を有し、ギアケース用のハウジング２２の前面２４の対応部分の周縁に沿うように形成されている。前方に延設した第１側壁３２の上部２１６は停止面２１８を端部に有し、この端部の停止面２１８は、解除レバー６２が第２の安定位置（図１２）まで回動されたときに該解除レバー６２に係合するように設けられている。
【００３５】
解除レバー６２の第２の脚１７２は係合面２２２を備え、バネ固定部材６０の耳部１３６に当接するように設けられている。図１２に明示するように、解除レバー６２が、時計回り方向に枢動ピン１７６により供される長い枢動軸の回りに回動すると、第２脚１７２の係合面２２２とバネ固定部材６０のバネ耳部との間に接触係合が生ずる結果となる。第２脚１７２の長さは第１脚１７０の長さより大幅に短く形成され、故にバネ固定部材６０のバネ押圧力を克服するのに有利な機械的な構造を備えている。
【００３６】
枢動ピン１７６により形成される解除レバー６２の枢動軸は、第２脚１７２の係合面２２２が解除レバー６２の枢動軸から偏倚している関係になるよう設けられている。これによって、解除レバー６２がその第２安定位置（図１２）に近づくにつれてバネ固定部材６０の反押圧力により解除レバー６２が第１の側壁部材３２の停止面２１８に向けて付勢する。
【００３７】
次に、図１１、１２を参照して本発明に係る固定装置５６の作用は説明する。先ず、鋸刃３８は往復動駆動軸３０に作動結合されているとし、解除レバー６２の第１脚１７０を手動押動してその第１安定位置（図１１）から時計回りに、捩じりバネ１９０の押圧力を克服しながら回動させる。すると最初の時計回りほうこう回動で解除レバー６２の第２脚１７２がバネ固定部材６２のバネ耳部１３６に係合する。
【００３８】
解除レバー６２を更に時計回り方向に継続、回動をすると、バネ耳部１３６を横方向に変位させ、かつバネ固定部材６０を弾性変形させることにより、同バネ固定部材６０の押圧力を克服するように作用する。更に詳述すると、バネ耳部１３６の弾性変位により、バネ固定部材６０の曲線状中央部１２０と鋸刃３８との間に空隙２２４を形成する。解除レバー６２がその第２安定位置に接近するにつれて、第２脚１７２の係合面２２２が枢動ピン１７６により形成される枢動軸から偏倚している関係からバネ固定部材６０の押圧力によって解除レバー６２を更に時計回り方向に回動させて停止面２１８に押しつける。そして解除レバー６２は、この位置、つまり第２安定位置に停止し、次に第１の安定位置に向けて押されるまで、同第２位置に止まる。
【００３９】
その結果、作業者はその両手をフリーにして鋸刃３８の交換やその他の必要操作を行うことができる。こうして、鋸刃３８を動力工具１０から除去して新しい刃をバネ固定部材６０と駆動軸３０との間の空隙２２４に装填することができるのである。鋸刃３８の上縁９４を溝９０内に配設し、開口４８を駆動ピン４２に位置決めする。鋸刃３８と往復動駆動軸３０との間の作動結合状態は、解除レバー６２を手動で反時計回り方向に回動すると得ることができる。解除レバー６２が最初、反時計回り方向に回動するとバネ固定部材６０の押圧力で解除レバー６２は更に回動して第１の安定位置へ枢動される。
【００４０】
上述した説明は本発明の好ましい実施形態に就いて記載したものであり、種々の改変、変更を本発明の技術思想の範囲で遂行し得ることは言うまでもない。
【図面の簡単な説明】
【図１】本発明の好実施形態の技術により構成された鋸刃固定装置を組み込んだ往復動型鋸刃装置の側面図である。
【図２】本発明による鋸刃固定装置の分解斜視図である。
【図３】図２に示す固定支持部材の拡大側面図である。
【図４】同固定支持部材の拡大端面図である。
【図５】図２に示す固定バネ部材の拡大側面図である。
【図６】固定バネ部材の拡大端面図である。
【図７】図１に示す鋸刃固定装置の部分側面図であり、駆動軸と通常の鋸刃との結合状態を図示したものである。
【図８】図１の８−８線による図１に図示のキーなし鋸刃固定具の部分断面図であり、図２の端面板を明瞭化のために除去した状態で示したである。
【図９】本発明の鋸刃固定装置と使用できる形態の第１の交換鋸刃の取り付け部の部分図である。
【図１０】本発明のキーなし鋸刃固定装置と使用できる形態の第２の交換鋸刃の取り付け部の部分図である。
【図１１】図１の１１−１１線による図１に図示の固定装置の断面図であり、解除レバーが第１の安定位置、つまり、固定装置の固定バネ部材が鋸刃を押圧して駆動軸と作動結合している状態を図示した図である。
【図１２】図１１と同様な断面であり、解除レバーが第２の安定位置、つまり、固定装置の固定バネ部材が解除レバーにより鋸刃から離隔し、故に鋸刃が固定装置から簡単に取り外しできる状態を図示した図である。
【符号の説明】
１０…動力工具
１８…ハウジング
２８…駆動軸溝
３０…往復動駆動軸
３２…前方に向けて延設される第１の側壁部材
３４…前方に向けて延設される第２の側壁部材
３８…鋸刃
４２…駆動ピン
４６…取付け部
５６…鋸刃固定装置
５８…固定支持部材
６０…押圧部材（バネ固定部材）
６２…作動部材
１２０…曲線状中央部
１３６…バネ耳部
１７０…第１脚
１７２…第２脚
１７６…枢動ピン
２１８…停止面
２２２…係合面
【図１】
0003810859.tif 000002
【図２】
0003810859.tif 000003
【図３】
0003810859.tif 000004
【図４】
0003810859.tif 000005
【図５】
0003810859.tif 000006
【図６】
0003810859.tif 000007
【図７】
0003810859.tif 000008
【図８】
0003810859.tif 000009
【図９】
0003810859.tif 000010
【図１０】
0003810859.tif 000011
【図１１】
0003810859.tif 000012
【図１２】
0003810859.tif 000013